(57)【特許請求の範囲】
【請求項１】
伸縮性を有するベルトと、
前記ベルトに固定される第１固定部および第２固定部を備え、腹囲の測定に用いられる測定帯と、
前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、
電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックと、
前記測定部の長さまたはその長さに関する情報を検出する検出部とを備える
体組成測定装置。
【請求項２】
伸縮性を有するベルトと、
前記ベルトに固定される第１固定部および第２固定部を備え、腹囲の測定に用いられる目盛が形成された測定帯と、
前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、
電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックとを備える
体組成測定装置。
【請求項３】
身体に対する前記ベルトの位置を決めるための目印部をさらに備える
請求項１または２に記載の体組成測定装置。
【請求項４】
前記ベルトは互いに分離および連結が可能な第１端部および第２端部を備える
請求項１〜３のいずれか一項に記載の体組成測定装置。
【請求項５】
前記ベルトに取り付けられ、体組成に関する情報の１つである体組成情報Ｂを測定可能な測定ブロックをさらに備え、
前記複数の電極ブロックは体組成に関する情報の１つである体組成情報Ａを測定可能である
請求項１〜４のいずれか一項に記載の体組成測定装置。
【請求項６】
前記体組成情報Ａは内臓脂肪を含む体脂肪であり、
前記体組成情報Ｂは皮下脂肪である
請求項５に記載の体組成測定装置。
【請求項７】
前記電極ブロックの測定面と前記ベルトとの距離と、前記測定ブロックの測定面と前記ベルトとの距離との差が所定寸法差以下である
請求項５または６に記載の体組成測定装置。
【請求項８】
前記複数の電極ブロックのそれぞれにおける測定面と前記ベルトとの距離の差が所定寸法差以下である
請求項１〜７のいずれか一項に記載の体組成測定装置。
【請求項９】
前記ベルトは前記測定帯に対して生体側に配置される
請求項１〜８のいずれか一項に記載の体組成測定装置。
【請求項１０】
前記測定部および前記ベルトを束ねる保持部をさらに備える
請求項１〜９のいずれか一項に記載の体組成測定装置。
【請求項１１】
前記測定帯の幅は前記ベルトの幅よりも小さい
請求項１〜１０のいずれか一項に記載の体組成測定装置。
【請求項１２】
前記ベルトは無線通信部を備える
請求項１〜１１のいずれか一項に記載の体組成測定装置。
【発明の詳細な説明】
【技術分野】
【０００１】
本発明は、伸縮性を有するベルトと、体組成に関する情報を測定する複数の電極ブロックとを備え、複数の電極ブロックはベルトに固定される体組成測定装置に関する。
【背景技術】
【０００２】
特許文献１の体組成測定装置は、生体インピーダンスを測定する複数の電極と、腹部に巻き付けられるベルトと、演算処理を行う演算部とを有する。複数の電極は、ベルトに固定されている。ベルトは、伸縮性が高い材料により形成されている。
【０００３】
演算部は、腹部にベルトが巻き付けられた状態において、複数の電極により生体インピーダンスが測定されたとき、この測定結果をもとに体組成を演算する。
【先行技術文献】
【特許文献】
【０００４】
【特許文献１】特開２００２−３６９８０６号公報
【発明の概要】
【発明が解決しようとする課題】
【０００５】
ところで、生体インピーダンスは体組成における筋肉および脂肪等の比率、および体組成全体の量の影響を受ける。このため、体組成全体の量の代替指標として腹囲を用いて補正することにより精確な体組成の演算結果を得ることができる。しかし、特許文献１の体組成測定装置は、腹囲を測定する機能を有していない。このため、精確に体組成の演算結果を得るために、体組成測定装置とは別に腹囲を測定するための機器を用意することが求められる。
【０００６】
本発明の目的は精確な体組成の演算結果を得るための構成を備え、かつ、利便性が高い体組成測定装置を提供することである。
【課題を解決するための手段】
【０００７】
本発明に従う体組成測定装置の一形態は、伸縮性を有するベルトと、前記ベルトに固定される第１固定部および第２固定部を備え、腹囲の測定に用いられる測定帯と、前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックと、前記測定部の長さまたはその長さに関する情報を検出する検出部とを備える。
本発明に従う体組成測定装置の別の一形態は、伸縮性を有するベルトと、前記ベルトに固定される第１固定部および第２固定部を備え、腹囲の測定に用いられる目盛が形成された測定帯と、前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックとを備える。
【発明の効果】
【００１５】
上記体組成測定装置は、精確な体組成の演算結果を得るための構成を備え、かつ、利便性が高い。
【図面の簡単な説明】
【００１６】
【図１】は実施形態の体組成測定装置の斜視図である。
【図２】は図１の体組成測定装置のブロック図である。
【図３】は図１の計測部の図である（ａ：正面図、ｂ：背面図、ｃ：平面図）。
【図４】は図３の電極ブロックの分解斜視図である。
【図５】は図３の電極ブロックの図である（ａ：斜視図、ｂ：５−５断面図）。
【図６】は図３のベルトの端部の斜視図である。
【図７】は図３のベルトおよび腹部の図である（ａ：装着前、ｂ：装着後）。
【図８】は図３のベルトおよび腹部の図である（ａ：腹囲小、ｂ：腹囲大）。
【図９】は変形例の電極ブロックの断面図である。
【図１０】は変形例の電極ブロックの断面図である。
【図１１】は変形例の電極ブロックの断面図である。
【図１２】は変形例の体組成測定装置のブロック図である。
【発明を実施するための形態】
【００１７】
（体組成測定装置が取り得る形態の一例）
〔１〕本発明に従う体組成測定装置の一形態は、伸縮性を有するベルトと、前記ベルトに固定される第１固定部および第２固定部を備え、腹囲の測定に用いられる測定帯と、前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックと、前記測定部の長さまたはその長さに関する情報を検出する検出部とを備える。
〔２〕本発明に従う体組成測定装置の別の一形態は、伸縮性を有するベルトと、前記ベルトに固定される第１固定部および第２固定部を備え、腹囲の測定に用いられる目盛が形成された測定帯と、前記測定帯における前記第１固定部と前記第２固定部との間の部分であり、前記ベルトの長さに対して余裕を持ち、前記ベルトの伸びに応じて前記ベルトに対して移動し、前記ベルトの伸びに応じて前記余裕が減少する測定部と、電極、前記電極を保持する電極保持部、ならびに、前記ベルトに対する前記測定帯の移動が可能な状態で前記電極保持部との間に前記ベルトおよび前記測定帯を束ねるガイド部を備え、体組成に関する情報を測定する複数の電極ブロックとを備える。
〔３〕前記体組成測定装置の一例によれば、身体に対する前記ベルトの位置を決めるための目印部をさらに備える。
〔４〕前記体組成測定装置の一例によれば、前記ベルトは互いに分離および連結が可能な第１端部および第２端部を備える。
〔５〕前記体組成測定装置の一例によれば、前記ベルトに取り付けられ、体組成に関する情報の１つである体組成情報Ｂを測定可能な測定ブロックをさらに備え、前記複数の電極ブロックは体組成に関する情報の１つである体組成情報Ａを測定可能である。
〔６〕前記体組成測定装置の一例によれば、前記体組成情報Ａは内臓脂肪を含む体脂肪であり、前記体組成情報Ｂは皮下脂肪である。
〔７〕前記体組成測定装置の一例によれば、前記電極ブロックの測定面と前記ベルトとの距離と、前記測定ブロックの測定面と前記ベルトとの距離との差が所定寸法差以下である。
〔８〕前記体組成測定装置の一例によれば、前記複数の電極ブロックのそれぞれにおける測定面と前記ベルトとの距離の差が所定寸法差以下である。
〔９〕前記体組成測定装置の一例によれば、前記ベルトは前記測定帯に対して生体側に配置される。
〔１０〕前記体組成測定装置の一例によれば、前記測定部および前記ベルトを束ねる保持部をさらに備える。
〔１１〕前記体組成測定装置の一例によれば、前記測定帯の幅は前記ベルトの幅よりも小さい。
〔１２〕前記体組成測定装置の一例によれば、前記ベルトは無線通信部を備える。
【００１８】
（実施形態）
図１を参照して、体組成測定装置１の構成について説明する。なお、図１においては、計測部２０のベルト３０の第１端部３１および第２端部３２が接続された状態を示している。
体組成測定装置１は、本体１０および計測部２０を備える。
本体１０は、体脂肪の測定に必要な情報の入力に用いられる操作部１２と、各種情報をユーザーに提示する表示部１３と、各種演算を行う制御部１１とを備えている。また、このほかに、本体１０と計測部２０とを接続するケーブル１４を備えている。また、本体１０は、内部に電源としての電池（図示略）を内蔵している。
【００１９】
計測部２０は、ユーザーに巻きつけるための伸縮性を有するベルト３０と、２つの留め具２１と、背骨目印部２２と、連結棒２３（図３参照）と、腹囲を測定するメジャーユニット４０と、生体インピーダンスを測定する６つの電極ブロック６０（６０Ａ〜６０Ｆ）と、皮下脂肪を測定する皮下脂肪測定ブロック７０を備えている。なお、皮下脂肪測定ブロック７０は「測定ブロック」に相当する。また、背骨目印部２２は「目印部」に相当する。
【００２０】
ベルト３０は、互いに分離および接続することのできる第１端部３１および第２端部３２を備えている。第１端部３１は、連結棒２３（図３参照）に固定されている。なお、ベルト３０は、最も縮んだ状態でベルト３０の長さ（以下、「ベルト長ＴＢ」）がユーザーの腹囲よりも小さいことが好ましい。このため、例えば、最も縮んだ状態でベルト長ＴＢが５０ｃｍであり、かつベルト長ＴＢが１５０ｃｍまで伸びることのできる素材を用いる。この素材としては、例えばゴム入りの布が挙げられる。また、ベルト３０の幅は、小さいと捩れが生じやすくなり、また大きいと電極６１の接触位置にずれが生じやすくなるため、算出値の誤差が大きくなる。このため、適切な幅にすることが好ましい。例えば、１〜５ｃｍが挙げられる。
【００２１】
図２を参照して、体組成測定装置１の電気的構成について説明する。
本体１０の制御部１１は、メジャーユニット４０の目盛センサー４４と、電極ブロック６０Ａ〜６０Ｆの電極６１と、皮下脂肪測定ブロック７０の受光部７３との間で信号を送信および受信する。
【００２２】
制御部１１は、ユーザーによる操作部１２の操作による操作部１２からの信号に応じて、以下の（制御Ａ）〜（制御Ｃ）を行う。
（制御Ａ）操作部１２の電源ボタンが操作されたとき、目盛センサー４４により測定帯５０の目盛５１（図３（ａ）参照）を読み取る。
（制御Ｂ）操作部１２の測定ボタンが操作されたとき、電極６１のうち、電流電極として機能する１対の電極６１に電流の供給を開始する。そして、電極６１のうち、電圧電極として機能する１対の電極６１により電圧値を測定する。
（制御Ｃ）操作部１２の測定ボタンが操作されたとき、発光部７２から近赤外光を照射する。そして、受光部７３により生体を通過した近赤外光の光量を測定する。
【００２３】
制御部１１は、（制御Ａ）の情報に基づいて腹囲を算出する。また、（制御Ｂ）の電圧値に基づいて内臓脂肪および皮下脂肪を含む体脂肪の体積を算出する。また、（制御Ｃ）の光量に基づいて皮下脂肪の厚さおよび皮下脂肪の体積を算出する。そして、腹囲、体脂肪の体積、皮下脂肪の体積、および操作部１２を介して入力された各種の情報に基づいて内臓脂肪の体積を演算し、演算した結果を表示部１３に表示する。なお、操作部１２により入力される各種の情報としては、ユーザーの身長、体重、年齢、および性別等が挙げられる。なお、（制御Ｂ）により測定される電圧値は「体組成情報Ａ」に相当する。また、（制御Ｃ）により測定される光量は「体組成情報Ｂ」に相当する。
【００２４】
図３を参照して、計測部２０の構成について説明する。
留め具２１、背骨目印部２２、およびメジャーユニット４０および各ブロック６０Ａ〜６０Ｆ，７０は、ベルト３０の第２端部３２から第１端部３１にかけて、メジャーユニット４０、電極ブロック６０Ｆ、電極ブロック６０Ｄ、電極ブロック６０Ｂ、留め具２１、背骨目印部２２、留め具２１、電極ブロック６０Ａ、電極ブロック６０Ｃ、皮下脂肪測定ブロック７０、および電極ブロック６０Ｅの順に配置されている。
【００２５】
以下に、ベルト３０に対する留め具２１、背骨目印部２２、およびメジャーユニット４０および各ブロック６０Ａ〜６０Ｆ，７０の位置について説明する。
背骨目印部２２は、ベルト３０の中央部３３に固定されている。２つの留め具２１の一方は、ベルト３０の第１端部３１および中央部３３との間において、中央部３３寄りに固定されている。他方は、ベルト３０の第２端部３２および中央部３３との間において、中央部３３寄りに固定されている。皮下脂肪測定ブロック７０は、ベルト３０の第１端部３１および中央部３３との間において、第１端部３１寄りに固定されている。メジャーユニット４０は、第２端部３２に固定されている。電極ブロック６０Ｂ，６０Ｄ，６０Ｆは、中央部３３および第２端部３２の間において、第２端部３２寄りに固定されている。電極ブロック６０Ａ，６０Ｃ，６０Ｅは、中央部３３および第１端部３１の間において、第１端部３１寄りに固定されている。
【００２６】
電極ブロック６０Ａの電極６１および電極ブロック６０Ｂの電極６１は、電流電極として機能し、電流電極対を構成する。
電極ブロック６０Ｃ〜６０Ｆの電極６１は、電圧電極として機能する。また、電極ブロック６０Ｃの電極６１および電極ブロック６０Ｄの電極６１は１つの電圧電極対を構成する。また、電極ブロック６０Ｅの電極６１および電極ブロック６０Ｆの電極６１は１つの電圧電極対を構成する。
【００２７】
メジャーユニット４０の構造について説明する。
メジャーユニット４０は、筐体４１と、その一部が筐体４１の内部に収納されるベルト３０よりも幅の小さい測定帯５０とを備えている。
【００２８】
筐体４１は、連結棒２３を差し込む連結穴４３と、筐体４１の表面に印字される臍目印部４２と、測定帯５０の目盛５１を読み取る目盛センサー４４と、測定帯５０をぜんまいばね（図示略）の力により筐体４１内に巻き取るための巻取ボタン４５とを備えている。
【００２９】
測定帯５０は、その表面において所定間隔毎に目盛５１を備えている。測定帯５０の一方の端部は連結棒２３を介して第１端部３１に固定されている。また、他方の端部３１は筐体４１を介して第２端部３２に固定されている。なお、測定帯５０の第１端部３１に固定されている部分は「第１固定部」に相当する。また、測定帯５０の第２端部３２に固定されている部分は「第２固定部」に相当する。
【００３０】
測定帯５０の第２端部３２の付近は筐体４１の内部に巻き取られている。ベルト３０が伸びたとき、測定帯５０の巻き取られている部分は、ベルト３０の伸びに応じて筐体４１から引き出される。これにより、巻き取られている部分が少なくなる。なお、ベルト３０が伸びた状態から縮んだとき、巻取ボタン４５を押すことにより測定帯５０の引き出された部分が筐体４１の内部に巻き取られる。測定帯５０の全体の長さは、ベルト３０が最大に伸びたときのベルト長ＴＢに対応している。なお、測定帯５０の巻き取られている部分は、「余裕」に相当する。また、測定帯５０の全体は、「測定部」に相当する。
【００３１】
留め具２１の構造について説明する。
留め具２１は、輪状の構造を備えている。留め具２１は、輪の内部にベルト３０および測定帯５０を通し、ベルト３０および測定帯５０を束ねている。なお、留め具２１はベルト３０に対しては固定されているが、測定帯５０に対しては固定されていない。
【００３２】
背骨目印部２２の構造について説明する。
背骨目印部２２は、留め具２１よりも幅の広い輪状の構造を備えている。背骨目印部２２は、輪の内部にベルト３０および測定帯５０を通し、ベルト３０および測定帯５０を束ねている。なお、背骨目印部２２はベルト３０に対しては固定されているが、測定帯５０に対しては固定されていない。
【００３３】
図４を参照して、電極ブロック６０の構造について説明する。なお、以下では計測部２０において、電極ブロック６０の電極６１が設けられる側を「内側」とし、測定帯５０が設けられる側を「外側」とする。なお、内側から外側に向かう方向を「奥行方向」とする。また、内側は「生体側」に相当する。
【００３４】
電極ブロック６０は、電極６１と、電極を保持する電極保持部６２と、電極保持部６２の外側と固定されるガイド部６５と、ベルト３０を固定するためのゴム６７と、各部材を接続するためのねじ６８とを備えている。電極保持部６２は、電極６１の外周を保持する外周保持板６３と、電極６１を外側から保持する背面保持板６４とを備えている。
【００３５】
電極６１は、幅方向における中央が最も内側に突出した湾曲形状をしている。なお、電極材としては、ＳＵＳおよび樹脂材表面を金属めっき処理したものが用いられている。
電極６１は、ねじ６８により背面保持板６４に固定される。背面保持板６４は、外周保持板６３に嵌め込まれる。外周保持板６３は、ベルト３０および測定帯５０を挟んでガイド部６５にねじ６８により固定される。なお、電極保持部６２およびガイド部６５のベルト３０および測定帯５０と接触する角の部分は、円弧状に形成されている。
【００３６】
図３を参照して、皮下脂肪測定ブロック７０の構造について説明する。
皮下脂肪測定ブロック７０は、近赤外光を照射する２つの発光部７２と、近赤外光を受光する１つの受光部７３とを備える筐体７１と、電極ブロック６０Ａ〜６０Ｆと共通のガイド部６５（図４参照）およびゴム６７（図４参照）とを備えている。２つの発光部７２および受光部７３は、発光部７２、発光部７２、および受光部７３の順で高さ方向に並べられている。なお、発光部７２および受光部７３の距離は、ユーザーの腹部において皮下脂肪測定ブロック７０が配置される位置の一般的な皮下脂肪厚の約半分〜２倍の間にすることが好ましい。
【００３７】
図５を参照して、ベルト３０および測定帯５０との関係について説明する。
図５（ａ）に示されるように、ベルト３０および測定帯５０は、電極保持部６２およびガイド部６５の間に形成される開口部６６に配置される。
【００３８】
ベルト３０は、ガイド部６５およびベルト３０の間に配置されるゴム６７と、電極保持部６２とにより固定される。また、測定帯５０は、ベルト３０およびガイド部６５の間において、ベルト３０の長手方向に自由に移動することができる。一方、高さ方向および奥行方向においては開口部６６の範囲においてのみ移動することができる。
【００３９】
なお、図３の皮下脂肪測定ブロック７０においても、ベルト３０は、ガイド部６５および筐体７１により固定される。また、測定帯５０は、ベルト３０およびガイド部６５の間において、ベルト３０の長手方向に自由に移動することができる。一方、高さ方向および奥行き方向においては筐体７１とガイド部６５の間に形成される空間（図示略）の範囲においてのみ移動することができる。
【００４０】
図３（ｃ）を参照して、ベルト３０と、メジャーユニット４０および各ブロック６０Ａ〜６０Ｆ，７０の奥行方向における位置関係について説明する。
ベルト３０およびメジャーユニット４０の内側の面の距離ＤＡと、ベルト３０および電極ブロック６０Ａ〜６０Ｆの電極６１の最も内側に突出した部分の距離ＤＡと、ベルト３０および皮下脂肪測定ブロック７０の筐体７１の内側の面との距離ＤＡは略等しい。なお、これら距離は「ブロック長さ」に相当する。また、これら距離の差は「寸法差」に相当する。また、電極ブロック６０Ａ〜６０Ｆの電極６１の最も内側に突出した部分、および皮下脂肪測定ブロック７０の筐体７１の内側の面は「測定面」に相当する。
【００４１】
図６および図７を参照して、内臓脂肪の測定手順について説明する。なお、図７においては、図１に示すケーブル１４および本体１０を省略して示している。
ユーザーは、以下の（手順１）〜（手順７）により体組成の測定を行う。
（手順１）図１の操作部１２の電源ボタンを押す。
（手順２）ベルト３０を手に持つ。
（手順３）背骨目印部２２を背骨１２０に当てる（図７（ａ）参照）。
（手順４）ベルト３０を伸ばし、腹部１００に巻きつける（図７（ｂ）参照）。
（手順５）連結棒２３を連結穴４３に差し込む（図６参照）。
（手順６）メジャーユニット４０の臍目印部４２（図６参照）を臍１１０に合わせる。
（手順７）図１の操作部１２の測定ボタンを押す。
【００４２】
上記（手順５）を行った状態において、測定帯５０の筐体４１に巻き取られている部分はベルト３０の伸びに応じて引き出されるため、筐体４１の外の測定帯５０の長さ（以下、「測定帯長ＴＰ」）は、ベルト長ＴＢと等しい。また、ベルト長ＴＢは腹囲に応じた長さとなっている。そして、図２の制御部１１は、目盛センサー４４の検出信号に基づいて腹囲を算出する。
【００４３】
図８を参照して、各ブロックと身体の位置関係について説明する。なお、図８（ｂ）は、図８（ａ）よりも大きい腹囲のユーザーに巻きつけられたときの計測部２０を示している。
【００４４】
計測部２０の留め具２１、背骨目印部２２、メジャーユニット４０、電極ブロック６０Ａ〜６０Ｆ、皮下脂肪測定ブロック７０は、ベルト３０に固定されているため、図８（ａ）のユーザーの腹部１００および図８（ｂ）のユーザーの腹部１００に巻きつけられたとき、以下の位置に配置される。
・留め具２１の一方は、背骨１２０および右脇腹１３０の中間に位置する。
・留め具２１の他方は、背骨１２０および左脇腹１４０の中間に位置する。
・背骨目印部２２は、背骨１２０と対応する位置に位置する。
・メジャーユニット４０は、臍１１０と対応する位置に位置する。
・電極ブロック６０Ａは、右脇腹１３０付近かつ右脇腹よりも前方に位置する。
・電極ブロック６０Ｂは、左脇腹１４０付近かつ左脇腹よりも前方に位置する。
・電極ブロック６０Ｃは、臍１１０および右脇腹１３０の中間に位置する。
・電極ブロック６０Ｄは、臍１１０および左脇腹１４０の中間に位置する。
・電極ブロック６０Ｅは、臍１１０付近かつ臍１１０よりも右方に位置する。
・電極ブロック６０Ｆは、臍１１０付近かつ臍１１０よりも左方に位置する。
・皮下脂肪測定ブロック７０は、臍１１０および右脇腹１３０の間に位置する。
【００４５】
（実施形態の効果）
本実施形態の体組成測定装置１は、以下の効果を奏する。
（１）体組成測定装置１は、ベルト３０の伸びに応じてベルト３０に対して移動する測定帯５０を有する。測定帯５０は、ベルト３０の伸びに応じて余裕が少なくなる。この構成によれば、測定帯５０は、ユーザーの腹部１００にベルト３０が巻き付けられたとき、ベルト３０の伸びに応じてメジャーユニット４０から引き出される。このため、測定帯５０の目盛５１からユーザーの腹囲を測定することができる。生体インピーダンスは筋肉および脂肪等の体組成の比率と体組成全体の量の影響を受ける。このため、体組成全体の量の代替指標として測定した腹囲を用いて補正することにより精確な体組成の演算結果を得ることができる。
【００４６】
（２）ユーザーの腹囲は、飲食、呼吸、および姿勢等にともない変化する。また、腹囲の変動にともない測定対象とする部分の内臓脂肪の面積および形状等も大きく変動する。このため、生体インピーダンスおよび腹囲により精確な体組成の演算結果を得るためには、２つの生体情報を測定するときの時間のずれが小さいことが好ましい。
【００４７】
体組成測定装置１のベルト３０は、複数の電極６１および測定帯５０を有するため、同時または同時に近いタイミングで生体インピーダンスおよび腹囲を測定することができる。このため、体組成の演算精度が向上する。
【００４８】
また、呼吸および姿勢等が変化するとき、体組成毎に測定対象とする部分の面積変化量が異なる。このため、生体インピーダンスおよび腹囲を複数回測定することにより、生体インピーダンスの変化量および腹囲の変化量に基づいてより精度よく体組成を推定することもできる。
【００４９】
（３）メジャーユニット４０は、測定帯長ＴＰを測定し、その結果を制御部１１に送信する。この構成によれば、測定帯５０の目盛５１を読み取る作業および測定帯長ＴＰを操作部に入力する作業をユーザーが行う必要がない。このため、利便性が向上する。
【００５０】
（４）ベルトは、背骨１２０に対応させる背骨目印部２２と、臍１１０の位置に対応させる臍目印部４２とを有する。この構成によれば、ユーザーは、ベルト３０を腹部１００に巻き付けるとき、背骨目印部２２および臍目印部４２を目印にすることができる。これにより、ベルト３０を巻き付ける毎に複数の電極６１と身体との位置関係が異なることが抑制されるため、複数の電極６１の位置ずれに起因した体組成の測定結果のばらつきが小さくなる。
【００５１】
（５）ベルト３０は、互いに分離および連結が可能な第１端部３１および第２端部３２を有する。この構成によれば、ベルト３０が連続した１つの環状の部材として形成されたものと比較して、腹部１００への取り付けおよび腹部１００からの取り外しを容易に行うことができる。
【００５２】
（６）各電極ブロック６０Ａ〜６０Ｆは、ベルト３０および測定帯５０をガイドするガイド部６５を有する。この構成によれば、測定帯５０がベルト３０から離れることが抑制される。このため、腹囲を精確に測定することができる。
【００５３】
（７）体脂肪は、内臓脂肪および皮下脂肪を含む。このため、内臓脂肪を精確に測定するためには、皮下脂肪を加味する必要がある。一方、体組成測定装置１は、皮下脂肪厚を測定する皮下脂肪測定ブロック７０を有する。この構成によれば、内臓脂肪の演算過程において皮下脂肪を反映することができる。このため、内臓脂肪の演算精度が向上する。
【００５４】
（８）電極ブロック６０Ａ〜６０Ｆおよび測定ブロック７０の寸法差が大きいとき、距離ＤＡが小さいブロックの測定面が生体に対して適切に接触しないおそれがある。また、各ブロックが生体を押す力に大きな差が生じることによりユーザーが違和感を覚えるおそれがある。一方、体組成測定装置１の電極ブロック６０Ａ〜Ｆおよび皮下脂肪測定ブロック７０の測定面は仮想線Ｘ上配置される。すなわち、電極ブロック６０Ａ〜Ｆおよび皮下脂肪測定ブロック７０の距離ＤＡは略等しい。この構成によれば、各ブロック６０，７０の測定面が生体に対して適切に接触する。また、各ブロック６０Ａ〜６０Ｆ，７０が生体を押す力の差が小さくなるため、ユーザーが違和感を覚えるおそれが小さくなる。
【００５５】
（９）ベルト３０は、測定帯５０に対して内側に位置する。この構成によれば、ユーザーがベルト３０を腹部１００に巻き付けたとき、ベルト３０が測定帯５０により生体に押し付けられるため、ベルト３０が生体から離間することが抑制される。
【００５６】
（１０）計測部２０は、測定帯５０の測定部とベルト３０とを束ねる留め具２１を有する。この構成によれば、測定帯５０の測定部がベルト３０から離間することが抑制される。また、ベルト３０および測定帯５０が捩れることが抑制される。このため、腹囲を精確に測定することができる。
【００５７】
（１１）測定帯５０の幅は、ベルト３０の幅よりも小さい。この構成によれば、測定帯５０の幅がベルト３０の幅よりも大きい構成、すなわちベルト３０の外面が測定帯５０により覆われている構成とは異なり、ベルト３０を腹部１００に巻き付けるときにユーザーがベルト３０の位置を容易に視認することができる。このため、利便性が向上する。
【００５８】
（１２）体組成測定装置１は、計測部２０とケーブル１４で接続する計測部２０とは別体の本体１０を有する。この構成によれば、ベルト３０が本体１０の重みで腹部１００から下方にずれることが抑制される。
【００５９】
（１３）ケーブル１４の曲がり量が大きいとき、および曲がり量が変化するとき、レジスタンスおよびリアクタンス成分への影響に起因して、インピーダンスが変化する。体組成測定装置１は、ケーブル１４をベルト３０の下方に配置した状態で腹部１００に巻きつける。この構成によれば、ケーブル１４をベルト３０の上方に配置した状態で腹部１００に巻きつける場合と比較して、ケーブル１４の曲がりが生じ難い。このため、ケーブル１４の曲がり量に起因するインピーダンスの変化を小さくすることができる。また、ケーブル１４の重さによりケーブル１４自身にかかる負荷を低減できる。
【００６０】
また、計測部２０は、全ての電極ブロック６０Ａ〜６０Ｆの下方にケーブル１４を配置しているため、電極ブロック６０Ａ〜６０Ｆの間における曲がり量に起因するインピーダンスの相違を小さくすることができる。
【００６１】
（１４）電極６１は、幅方向において中央が最も内側に向かって突出した湾曲形状を有する。この構成によれば、電極６１平面形状を有する場合と比較して、腹部１００に接触しやすいため、内臓脂肪の測定精度が向上する。
【００６２】
（１５）計測部２０は、ベルト３０の全体に沿う測定帯５０を有する。この構成によれば、ベルト３０の一部のみに沿う測定帯５０を有する場合と比較して、腹囲の測定精度が向上する。
【００６３】
（１６）電極保持部６２およびガイド部６５は、ベルト３０および測定帯５０と接触する部分の角を円弧状にしている。この構成によれば、ベルト３０および測定帯５０が電極保持部６２およびガイド部６５に対して移動するときの負荷が低減できる。
【００６４】
（１７）ベルト３０の第１端部３１および第２端部３２は、ベルト３０を腹部１００に巻きつけたときに臍１１０と対応する位置に配置される。この構成によれば、連結棒２３および連結穴４３がユーザーの前方に配置されるため、第１端部３１および第２端部３２の連結を行いやすい。
【００６５】
（その他の実施形態）
本発明は、上記実施形態以外の実施形態を含む。以下、本発明のその他の実施形態としての上記実施形態の変形例を示す。なお、以下の各変形例は、互いに組み合わせることもできる。
【００６６】
・上記実施形態（図１）の計測部２０は、６つの電極ブロック６０Ａ〜６０Ｆを有する。一方、変形例の計測部２０は、２〜５つ、または７つ以上の電極ブロック６０を有する。なお、２つの電極ブロックを有する場合、各電極ブロックに電流電極の機能と電圧電極の機能を持たせることもできる。
【００６７】
・上記実施形態（図１）の計測部２０は、電極ブロック６０Ｂ，６０Ｄ，６０Ｆを、中央部３３および第２端部３２の間において、第２端部３２寄りに固定する。一方、変形例の計測部２０は、電極ブロック６０Ｂ，６０Ｄ，６０Ｆを、中央部３３および第１端部３１の間において、中央部３３寄りに固定する。
【００６８】
・上記実施形態（図１）の計測部２０は、電極ブロック６０Ａ，６０Ｃ，６０Ｅを、中央部３３および第１端部３１の間において、第１端部３１寄りに固定する。一方、変形例の計測部２０は、電極ブロック６０Ａ，６０Ｃ，６０Ｅを、中央部３３および第２端部３２の間において、中央部３３に固定する。
【００６９】
・上記実施形態（図１）の計測部２０は、ベルト３０上において電極ブロック６０Ａ、６０Ｃ,６０Ｅと、電極ブロック６０Ｂ，６０Ｄ，６０Ｆとが左右対称に配置される。一方、変形例の計測部２０は、電極ブロック６０Ａ、６０Ｃ,６０Ｅと、電極ブロック６０Ｂ，６０Ｄ，６０Ｆとが左右非対象に配置される。
【００７０】
・上記実施形態（図１）の皮下脂肪測定ブロック７０は、電極ブロック６０Ｃおよび電極ブロック６０Ｅの間に固定される。一方、変形例の皮下脂肪測定ブロック７０は、電極ブロック６０Ａおよび電極ブロック６０Ｃの間に固定される。
【００７１】
・上記実施形態（図１）の計測部２０は、２つの留め具２１を有する。一方、変形例の計測部２０は、１または３つ以上の留め具２１を有する。なお、ベルト３０上における留め具２１の配置は適宜変更することができる。
【００７２】
・上記実施形態（図２）のメジャーユニット４０は、測定帯５０の目盛５１を読み取る目盛センサー４４を有する。一方、変形例のメジャーユニット４０は、以下の（Ａ）および（Ｂ）の少なくとも一方の構成を有する。
（Ａ）変形例のメジャーユニット４０は、測定帯５０の巻き取り部分の回転角度を読み取るロータリーエンコーダーを有する。
（Ｂ）変形例のメジャーユニット４０は、ぜんまいばねの復元力を読み取る力センサーを有する。
【００７３】
・上記実施形態（図２）のメジャーユニット４０は、目盛センサー４４および目盛センサー４４が読み取るための目盛５１を有する。一方、変形例のメジャーユニット４０は、目盛センサー４４を省略し、かつユーザーが読み取るための数字が刻まれた測定帯５０の目盛を有する。この場合、ユーザーが読み取った数字を操作部１２により入力する。
【００７４】
・上記実施形態（図１）のメジャーユニット４０は、幅広の測定帯５０を有する。一方、変形例のメジャーユニット４０は、紐状の測定帯を有する。
・上記実施形態（図３）のメジャーユニット４０は、筐体４１の内部に測定帯５０の余裕を巻き取る構造を有する。一方、変形例のメジャーユニット４０は、筐体４１の内部に測定帯５０を折り畳む空間を有する。この場合、ユーザーは測定開始前に測定帯５０の余裕を筐体４１の内部に収納する。
【００７５】
・上記実施形態（図３）のメジャーユニット４０は、第２端部３２に固定される。一方、変形例のメジャーユニット４０は、ベルト３０の中央部３３に固定される。この場合、測定帯５０は、中央部３３から第１端部３１までに沿って配置される。また、メジャーユニット４０は、背骨目印部として機能する。
【００７６】
・上記実施形態（図３）の測定帯５０は、両端部をベルト３０の第１端部３１および第２端部３２に固定される。一方、変形例の測定帯５０は、端部よりも中央寄りの部分Ａおよび部分Ｂにおいてベルト３０に固定される。なお、この場合、部分Ａは「第１固定部」に相当し、部分Ｂは「第２固定部」に相当する。また、部分Ａから部分Ｂまでは「測定部」に相当する。
【００７７】
・上記実施形態（図１）の計測部２０は、背骨目印部２２および臍目印部４２を有する。一方、変形例の計測部２０は、背骨目印部２２および臍目印部４２の少なくとも一方を省略する。背骨目印部２２および臍目印部４２の両方が省略された場合、メジャーユニット４０の筐体４１の中央を臍１１０に合わせる。
【００７８】
・上記実施形態（図１）の計測部２０は、輪状の背骨目印部２２を有する。一方、変形例の計測部２０は、ベルト３０の表面に印刷される背骨目印部を有する。
・上記実施形態（図５）の電極ブロック６０は、ベルト３０および測定帯５０が互いに接触する開口部６６を有する。一方、図９に示される変形例の電極ブロック６０は、ベルト３０および測定帯５０の間に仕切板６９を備える開口部６６を有する。仕切板６９は、測定帯５０が接触する外側の面の摩擦係数がベルト３０の表面よりも小さい。この構成によれば、測定帯５０がベルト３０に対して移動しやすくなる。
【００７９】
・上記変形例（図９）の計測部２０は、ベルト３０よりも外側に配置される測定帯５０を有する。一方、図１０に示される変形例の計測部２０は、ベルト３０よりも内側に配置される測定帯５０を有する。この構成によれば、測定帯５０がベルト３０よりも外側に配置される場合と比較して、測定帯５０が腹部１００に近いことにより腹囲の測定精度が向上する。また、測定帯５０がベルト３０により内側に押し付けられるため、測定帯５０が腹部１００から離れることが抑制される。なお、この場合、ガイド部６５はベルト３０を配置するための開口部を有し、背面保持板６４は、測定帯５０を配置するための開口部を有する。
【００８０】
・上記実施形態（図３）の計測部２０は、ベルト３０よりも外側に配置される測定帯５０を有する。一方、変形例の計測部２０は、袋状のベルト３０の袋の内部に配置される測定帯５０を有する。この構成によれば、測定帯５０がベルト３０から離れることが抑制される。
【００８１】
・上記実施形態（図３）のメジャーユニット４０は、巻取ボタン４５を有する。一方、変形例のメジャーユニット４０は、巻取ボタン４５を省略する。
・上記実施形態（図３）の計測部２０は、測定ブロックとして皮下脂肪測定ブロック７０を有する。一方、変形例の計測部２０は、皮下脂肪測定ブロック７０に代えてまたは加えて、以下の（Ａ）および（Ｂ）の少なくとも１つの測定ブロックを有する。
【００８２】
（Ａ）変形例の計測部２０は、水分測定ブロックを有する。この構成によれば、生体インピーダンスの測定に影響を及ぼす水分量を測定することにより、内臓脂肪の演算精度を向上できる。なお、水分測定ブロックは、電極間隔を数ｍｍとし、交流電流により皮膚表面のコンダクタンスを測定する。また、この場合、コンダクタンスは「体組成情報Ｂ」に相当する。
【００８３】
（Ｂ）変形例の計測部２０は、温度測定ブロックを有する。この構成によれば、生体インピーダンスの測定に影響を及ぼす電極温度または体表温度を測定することにより、内臓脂肪の演算精度を向上できる。なお、温度測定ブロックを電極ブロック６０と共通のものにすることもできる。また、この場合、電極温度および体表温度は「体組成情報Ｂ」に相当する。
【００８４】
・上記実施形態（図２）の計測部２０は、近赤外光により皮下脂肪厚を測定する皮下脂肪測定ブロック７０を有する。一方、変形例の計測部２０は、以下の（Ａ）および（Ｂ）の少なくとも一方により皮下脂肪を測定する皮下脂肪測定ブロック７０を有する。
（Ａ）変形例の計測部２０は、インピーダンスによる皮下脂肪を測定する皮下脂肪測定ブロック７０を有する。この場合、電圧電極対を構成する電極間の距離は、皮下脂肪測定ブロック７０が配置される位置の一般的な皮下脂肪厚の約半分〜２倍の間にする。
（Ｂ）変形例の計測部２０は、超音波による皮下脂肪を測定する皮下脂肪測定ブロック７０を有する。
【００８５】
・上記実施形態（図２）の計測部２０は、内臓脂肪の演算精度を向上させるための皮下脂肪測定ブロック７０を有する。一方、変形例の計測部２０は、内臓脂肪の演算精度を向上させるために皮下脂肪測定ブロック７０に代えてまたは加えて、以下の（Ａ）および（Ｂ）の少なくとも１つのセンサーを有する。
（Ａ）変形例の計測部２０は、第１端部３１および第２端部３２が正しく接続されているかを検出するためのセンサーを有する。
（Ｂ）変形例の計測部２０は、ベルト３０が臍１１０を通過する断面に水平に配置されているか否かを検出する高さセンサーおよび水平センサーを有する。
【００８６】
・上記実施形態（図２）の計測部２０は、内臓脂肪の演算精度を向上させるための皮下脂肪測定ブロック７０を有する。一方、変形例の計測部２０は、内臓脂肪の演算精度を向上させるための温度調整部を有する。この場合、電極６１の温度および体表温度が一定となった状態で生体インピーダンスの測定を行う。
【００８７】
・上記実施形態（図５）の計測部２０は、輪状の留め具２１を有する。一方、変形例（図１１）の計測部２０は、電極ブロック６０の電極保持部６２およびガイド部６５により構成される留め具８０を有する。この場合、留め具８０の電極保持部６２に電極６１を固定することにより、留め具８０を電極ブロック６０として用いることもできる。
【００８８】
・上記実施形態（図１）の体組成測定装置１は、本体１０と計測部２０を有線で接続するケーブル１４を有する。一方、変形例（図１２）の体組成測定装置１は、本体１０および計測部２０のそれぞれに互いに無線で通信する無線通信部９０を有する。メジャーユニット４０、電極ブロック６０Ａ〜６０Ｆ、および皮下脂肪測定ブロック７０は計測部２０の無線通信部９０とケーブル１４で接続される。この構成によれば、本体１０と計測部２０を有線で接続するケーブル１４を省略することができるため、ケーブル１４がユーザーの邪魔にならない。なお、メジャーユニット４０、電極ブロック６０Ａ〜６０Ｆ、および皮下脂肪測定ブロック７０のそれぞれに無線通信部９０を有し、本体１０の無線通信部９０と無線で通信する構成を採用することもできる。
【００８９】
・上記実施形態（図６）のベルト３０は、第１端部３１および第２端部３２を連結するための連結棒２３およびメジャーユニット４０の連結穴４３を有する。一方、変形例のベルト３０は、第１端部３１および第２端部３２を連結するための以下の（Ａ）〜（Ｃ）のいずれかの構成を有する。
（Ａ）変形例のベルト３０は、第１端部３１において内側に突出する突起、およびメジャーユニット４０の外側に形成される穴を有する。
（Ｂ）変形例のベルト３０は、メジャーユニット４０の内側に第２端部３２を固定することができるベルトバックルを有する。
（Ｃ）変形例のベルト３０は、第１端部３１に固定される磁石、および第２端部３２に固定される磁石を有する。
【００９０】
・上記実施形態（図３）のベルト３０は、第１端部３１および第２端部３２を有する。一方、変形例のベルト３０は、端部を有しない。この場合、ユーザーはベルト３０を広げて爪先、または頭からベルト３０を潜ることによりベルト３０を装着する。
【００９１】
・上記実施形態（図４）の電極ブロック６０は、電極保持部６２とベルト３０を固定するためのゴム６７を有する。一方、変形例の電極ブロック６０はゴム６７を省略する。この場合、電極保持部６２とベルト３０を接着剤により固定する。
【００９２】
・上記実施形態（図４）の電極ブロック６０は、電極保持部６２を有する。一方、変形例の電極ブロック６０は、電極保持部６２を省略する。この場合、電極６１は、ベルト３０の内側の面に直接接続する。また、この場合、ベルト３０の表面において電極６１を配置する部分を導電性のゴムとして形成し、この導電性のゴムを電極６１として用いることもできる。
【００９３】
・上記実施形態（図３）の計測部２０は、ゴムが織り込まれた布により構成されるベルト３０を有する。一方、変形例の計測部２０は、以下の（Ａ）および（Ｂ）の少なくとも一方により構成されるベルト３０を有する。
（Ａ）変形例の計測部２０は、ばねにより構成されるベルト３０を有する。
（Ｂ）変形例の計測部２０は、全体が一体的に伸縮する菱形のラチス構造により構成されるベルト３０を有する。
【００９４】
・上記実施形態（図６）の体組成測定装置１は、計測部２０を腹部１００に巻きつけて体組成としての内臓脂肪の体積を測定する。一方、変形例の体組成測定装置１は、計測部２０を腕または脚に巻きつけて、体組成としての皮下脂肪の体積を測定する。
・本発明は、上記実施形態に例示される体組成測定装置１以外の他の体組成測定装置に適用することもできる。他の体組成測定装置としては、体組成測定装置が挙げられる。要するに、体組成測定装置であれば、いずれの体組成測定装置に対しても本発明を適用することができる。
【００９５】
（課題を解決するための手段に関する付記）
〔付記１〕
伸縮性を有するベルトと、体組成に関する情報を測定する複数の電極ブロックとを備え、前記複数の電極ブロックは前記ベルトに固定される体組成測定装置において、
腹囲を測定する測定帯を有すること、
前記測定帯は、前記ベルトに固定される第１固定部および第２固定部を有すること、
前記測定帯における前記第１固定部と前記第２固定部との間の測定部は、前記ベルトの長さに対して余裕を持ち、かつ前記ベルトの伸びに応じて前記ベルトに対して移動すること、
ならびに、前記測定部は、前記ベルトの伸びに応じて前記余裕が少なくなること
を特徴とする体組成測定装置。
〔付記２〕
付記１に記載の体組成測定装置において、
身体に対する前記ベルトの位置を決めるための目印部を有すること
を特徴とする体組成測定装置。
〔付記３〕
付記１または２に記載の体組成測定装置において、
前記ベルトは、互いに分離および連結が可能な第１端部および第２端部を有すること
を特徴とする体組成測定装置。
〔付記４〕
付記１〜３のいずれか一項に記載の体組成測定装置において、
前記複数の電極ブロックのうちの少なくとも１つは、前記ベルトおよび前記測定帯の測定部をガイドするガイド部を有すること
を特徴とする体組成測定装置。
〔付記５〕
付記１〜４のいずれか一項に記載の体組成測定装置において、
前記複数の電極ブロックは、体組成に関する情報として体組成情報Ａを測定すること、
体組成情報Ｂを測定する測定ブロックを備えること、
ならびに、前記測定ブロックは前記ベルトに取り付けられていること
を特徴とする体組成測定装置。
〔付記６〕
付記５に記載の体組成測定装置において、
前記複数の電極ブロックが測定する前記体組成情報Ａとして内臓脂肪を含む体脂肪を測定すること、
ならびに、前記測定ブロックが測定する体組成情報Ｂとして皮下脂肪を測定すること
を特徴とする体組成測定装置。
〔付記７〕
付記５または６に記載の体組成測定装置において、
前記複数の電極ブロックおよび前記測定ブロックのそれぞれにおける測定面と前記ベルトとの距離をブロック長さとして、前記複数の電極ブロックおよび前記測定ブロックの前記ブロック長さの差は、所定寸法差以下であること
を特徴とする体組成測定装置。
〔付記８〕
付記１〜４のいずれか一項に記載の体組成測定装置において、
前記電極ブロックのそれぞれにおける測定面と前記ベルトとの距離をブロック長さとして、前記複数の電極ブロックの前記ブロック長さの差は、所定寸法差以下であること
を特徴とする体組成測定装置。
〔付記９〕
付記１〜８のいずれか一項に記載の体組成測定装置において、
前記ベルトは、前記測定帯に対して生体側に位置すること
を特徴とする体組成測定装置。
〔付記１０〕
付記１〜９のいずれか一項に記載の体組成測定装置において、
前記測定帯の測定部と前記ベルトとを束ねる保持部を有すること
を特徴とする体組成測定装置。
〔付記１１〕
付記１〜１０のいずれか一項に記載の体組成測定装置において、
前記測定帯の幅は、前記ベルトの幅よりも小さいこと
を特徴とする体組成測定装置。
〔付記１２〕
付記１〜１１のいずれか一項に記載の体組成測定装置において、
前記ベルトは、無線通信部を有すること
を特徴とする体組成測定装置。
〔付記Ａ〕
伸縮性を有するベルトと、
前記ベルトに沿って移動できるように前記ベルトに取り付けられ、前記ベルトよりも長く、前記ベルトの伸縮にともない長さが変化する測定部を備える測定帯と、
前記測定部の長さまたはその長さに関する情報を検出する検出部とを備える
測定装置。
〔付記Ｂ〕
伸縮性を有するベルトと、
前記ベルトに沿って移動できるように前記ベルトに取り付けられ、前記ベルトよりも長く、前記ベルトの伸縮にともない長さが変化し、目盛が形成される測定部を備える測定帯とを備える
測定装置。
〔付記Ｃ〕
前記ベルトに取り付けられる機器をさらに備える
付記ＡまたはＢに記載の測定装置。
〔付記Ｄ〕
前記機器は生体に関する情報を測定する
付記Ｃに記載の測定装置。
〔付記Ｅ〕
前記測定部を収容する部分である収容部をさらに備え、
前記測定部は前記収容部から引き出し可能である
付記Ａ〜Ｄのいずれか一項に記載の測定装置。
【符号の説明】
【００９６】
１    ：体組成測定装置
１０  ：本体
１１  ：制御部
１２  ：操作部
１３  ：表示部
１４  ：ケーブル
２０  ：計測部
２１  ：留め具（保持部）
２２  ：背骨目印部（目印部）
２３  ：連結棒
３０  ：ベルト
３１  ：第１端部
３２  ：第２端部
３３  ：中央部
４０  ：メジャーユニット
４１  ：筐体
４２  ：臍目印部（目印部）
４３  ：連結穴
４４  ：目盛センサー（検出部）
４５  ：巻取ボタン
５０  ：測定帯
５１  ：目盛
６０  ：電極ブロック
６０Ａ：電極ブロック
６０Ｂ：電極ブロック
６０Ｃ：電極ブロック
６０Ｄ：電極ブロック
６０Ｅ：電極ブロック
６０Ｆ：電極ブロック
６１  ：電極
６２  ：電極保持部
６３  ：外周保持板
６４  ：背面保持板
６５  ：ガイド部
６６  ：開口部
６７  ：ゴム
６８  ：ねじ
６９  ：仕切板
７０  ：皮下脂肪測定ブロック（測定ブロック）
７１  ：筐体
７２  ：発光部
７３  ：受光部
８０  ：留め具（保持部）
９０  ：無線通信部
１００：腹部
１１０：臍
１２０：背骨
１３０：右脇腹
１４０：左脇腹
ＤＡ  ：距離
ＴＢ  ：ベルト長
ＴＰ  ：測定帯長
【図２】
0005756918.tif 000002
【図３】
0005756918.tif 000003
【図４】
0005756918.tif 000004
【図５】
0005756918.tif 000005
【図７】
0005756918.tif 000006
【図８】
0005756918.tif 000007
【図９】
0005756918.tif 000008
【図１０】
0005756918.tif 000009
【図１１】
0005756918.tif 000010
【図１２】
0005756918.tif 000011
【図１】
0005756918.tif 000012
【図６】
0005756918.tif 000013